(57)【要約】  本発明は、トランスミッタ（１２）及びレシーバ（１４）を有する送信システム（１０）に関する。トランスミッタ（１２）は、複数の信号（１３）、例えば、ラジオ信号及び／又はテレビジョン信号を送信するように構成される。上記複数の信号（１３）は、相互に対応する信号、例えば、同じチャンネル又は番組のアナログ信号及びデジタル信号を有する。代替例として、相互に対応する信号は、同じチャンネル又は番組の標準精細信号及び高精細信号を有してもよい。レシーバ（１４）は、上記複数の信号（１３）の少なくとも一部を受け取るように構成される。トランスミッタ（１２）は、上記相互に対応する信号を識別する情報（１５）を送信するように構成され、レシーバ（１４）は、上記情報（（１５）を受け取るように構成される。レシーバ（１４）は、この情報（１５）に基づいて、相互に対応する信号の少なくとも一部（１７）を選択するためのセレクタを有する。このやり方において、レシーバ（１４）は、例えば、利用可能なチャンネル／番組のリストに含まれるものに対して又は再生するために最も適切な信号（１７）を自動的に選択することができる。
2005514878.tif 000002
【特許請求の範囲】
【請求項１】
トランスミッタ及びレシーバを有する送信システムにおいて、前記トランスミッタが、複数の信号を送信するように構成され、前記複数の信号が、相互に対応する信号を有し、前記レシーバが、前記複数の信号の少なくとも一部を受け取るように構成される送信システムであって、
前記トランスミッタが、前記相互に対応する信号を識別する情報を送信するように構成され、前記レシーバが、前記情報を受け取るように構成され、前記レシーバは、前記情報に基づいて、前記相互に対応する信号の少なくとも一部を選択するためのセレクタを有することを特徴とする送信システム。
【請求項２】
前記複数の信号が、ラジオ信号及び／又はテレビジョン信号を有することを特徴とする、請求項１に記載の送信システム。
【請求項３】
前記相互に対応する信号が、同じチャンネル又は番組に関連することを特徴とする、請求項２に記載の送信システム。
【請求項４】
前記相互に対応する信号が、前記同じチャンネル又は番組のアナログ信号及びデジタル信号を有することを特徴とする、請求項３に記載の送信システム。
【請求項５】
前記相互に対応する信号が、前記同じチャンネル又は番組の標準精細信号及び高精細信号を有することを特徴とする、請求項３又は４に記載の送信システム。
【請求項６】
前記セレクタが、利用可能なチャンネル又は番組のリストに含まれるものに対して、前記相互に対応する信号の前記少なくとも一部を選択するように構成されることを特徴とする、請求項１乃至５の何れか一項に記載の送信システム。
【請求項７】
前記セレクタが、前記レシーバの性能に基づいて及び／又は前記受け取られた信号の品質に基づいて、前記相互に対応する信号の前記少なくとも一部を選択するように構成されることを特徴とする、請求項１乃至６の何れか一項に記載の送信システム。
【請求項８】
相互に対応する信号を有する複数の信号を送信するためのトランスミッタであって、前記トランスミッタが、前記相互に対応する信号を識別する情報を送信するように構成されることを特徴とするトランスミッタ。
【請求項９】
相互に対応する信号を有する複数の信号の少なくとも一部を受け取るためのレシーバであって、前記レシーバが、前記相互に対応する信号を識別する情報を受け取るように構成され、前記レシーバは、前記情報に基づいて、前記相互に対応する信号の少なくとも一部を選択するためのセレクタを有することを特徴とするレシーバ。
【請求項１０】
相互に対応する信号を有する複数の信号を送信する方法であって、前記方法が、前記相互に対応する信号を識別する情報を送信することを含むことを特徴とする方法。
【請求項１１】
相互に対応する信号を有する複数の信号の少なくとも一部を受け取る方法であって、前記方法が、
前記相互に対応する信号を識別する情報を受け取るステップと、
前記情報に基づいて、前記相互に対応する信号の少なくとも一部を選択するステップと、
を含むことを特徴とする方法。
【発明の詳細な説明】
【技術分野】
【０００１】
本発明は、トランスミッタ及びレシーバを有する送信システムであって、上記トランスミッタが、複数の信号を送信するように構成され、上記複数の信号が、相互に対応する信号を有し、上記レシーバが、上記複数の信号の少なくとも一部を受け取るように構成される送信システムに関する。
【０００２】
更に、本発明は、複数の信号を送信するためのトランスミッタと、複数の信号の少なくとも一部を受け取るためのレシーバと、複数の信号を送信する方法と、複数の信号の少なくとも一部を受け取る方法と、に関する。
【背景技術】
【０００３】
相互に対応するラジオ信号及び／又はテレビジョン信号の同時送信は、時には同時放送(simulcast，サイマル放送)と称される。相互に対応する信号は、例えば、ＰＡＬ及びＤＶＢなど２つ以上の規格による同じチャンネル／番組のバージョンであり得る。このようなＰＡＬ及びＤＶＢは、これらの規格の移行中には同時に送信される。代替例として、相互に対応する信号は、同じチャンネル／番組の標準精細（ＳＤ）信号及び高精細（ＨＤ）信号であってもよい。
【発明の開示】
【発明が解決しようとする課題】
【０００４】
全てのレシーバが、相互に対応する信号の全てを受け取ること、又は再生するなどの処理を行うことが可能であるわけではない。例えば、標準精細（ＳＤ）テレビジョンレシーバは、一般的に、高精細（ＨＤ）テレビジョン番組を受信すること及び表示することができない。現代のレシーバは、ユーザが所望のチャンネル／番組を選択することができるように、ユーザに提示するための利用可能なチャンネル／番組のリストを用意するように構成されている。このようなリストに伴う問題は、こうしたリストが、全ての相互に対応する信号のためのエントリを包含することであり、そのような信号は、レシーバによって受け取ること又は処理されることができない信号を含み得る。それゆえ、ユーザは、レシーバによって受け取ること又は処理されることができないチャンネル／番組をリスト内に見つけてしまう。
【０００５】
本発明の目的は、上記に記載された問題を被らない、プリアンブルによる送信システムを提供することにある。
【課題を解決するための手段】
【０００６】
この目的は、本発明による送信システムであって、トランスミッタが、相互に対応する信号を識別する情報を送信するように構成され、レシーバが、上記情報を受け取るように構成され、レシーバは、この情報に基づいて、相互に対応する信号の少なくとも一部を選択するためのセレクタを有することを特徴とする送信システムにおいて、達成される。このやり方において、レシーバは、相互に対応する信号のうち、どの信号がリストに含まれるもの（inclusion）にとって最適であるかを自動的に選択することができるので、ユーザは、各々のチャンネル／番組について単一のエントリのみと向かい合うことになる。この選択は、更に、レシーバの性能に基づいているか、又は受け取られた信号の品質に基づいていてもよい。例えば、高精細テレビジョン信号は、該信号に対応する標準精細テレビジョン信号よりも少ない電力によって送信され得る。低品質の受信状態の場合、高精細テレビジョンレシーバにおけるセレクタは、標準精細テレビジョン信号を選択し得る。
【０００７】
本発明の上記の目的及び特徴は、図面を参照して好ましい実施形態に関する以下の記載からより明らかになるであろう。  
【発明を実施するための最良の形態】
【０００８】
図１は、本発明による送信システム１０の実施形態を概略的に示す。送信システム１０は、トランスミッタ１２及びレシーバ１４を有している。トランスミッタ１２は、複数の信号１３、例えば、ラジオ信号及び／又はテレビジョン信号をレシーバ１４に送信する。複数の信号１３は、相互に対応する信号、例えば、同じチャンネル又は番組のアナログ信号及びデジタル信号を有する。代替例として、この相互に対応する信号は、同じチャンネル又は番組の標準精細信号及び高精細信号を有することもできる。レシーバ１４は、複数の信号１３の少なくとも一部を受け取る。トランスミッタ１２は、上記相互に対応する信号を識別する情報１５を送信し、この情報１５は、レシーバ１４によって受け取られる。レシーバ１４は、上記情報１５に基づいて、例えば、利用可能なチャンネル又は番組のリストに含まれるものに対して、相互に対応する信号の少なくとも一部１７を選択するためのセレクタ１６を有している。セレクタ１６による選択は、更に、レシーバ１４の性能に基づいて、例えば、ＳＤ信号のみを再生する能力に基づいて、及び／又は受け取られた信号１３の品質に基づいて、行われ得る。
【０００９】
実施例を用いて、相互に対応するＳＤ及びＨＤビデオサービスと、これらのサービスを識別する情報との同時放送が、ＤＶＢ準拠システムセッティングにおいて以下に説明される。ＤＶＢとは、以下の文献、欧州電気通信標準化機構（ＥＴＳＩ：European Telecommunication Standards Institute）ＥＮ  ３００４６８“ＤＶＢシステムにおけるサービス情報のためのデジタルビデオ放送（ＤＶＢ）規格書（Digital Video Broadcasting(DVB) Specification for Service Information in DVB systems）”に部分的に規定されているデジタルＴＶ規格である。
【００１０】
２つのオプションが、ＳＤ及びＨＤビデオサービスのための同時放送状況を生成するために識別される。
【００１１】
ＳＤ及びＨＤサービスは、実際には、１つのＤＶＢサービスであり、２つのビデオ成分が、単一の伝送ストリームにおける単一のサービスの２つの代替ビデオ成分として運ばれる。これは「単一のサービス構成オプション」と呼ばれる。
【００１２】
ＳＤ及びＨＤサービスは、（例えば、階層変調を用いて又は単に帯域幅管理の理由のために、種々の異なる周波数におけるもの及び／又は異なる地理的なカバレージによるものである）２つの異なる伝送ストリームにおいて運ばれる可能性がある２つの別個のＤＶＢサービスである。これは「マルチサービス構成オプション」と呼ばれる。
【００１３】
単一のサービス構成オプション：
このオプションは、ＳＤ及びＨＤのＭＰＥＧビデオ基本ストリーム双方が、単一のサービスの一部であることを必要とする。相互に対応するＳＤ及びＨＤビデオストリームを識別する情報をシグナリングするために、これらのビデオ成分は、ビデオ成分のタイプ（ＳＤ又はＨＤ）を記述するイベントのＥＩＴ（Event Information Table：イベント情報テーブル）における成分記述子（component_descriptor） でタグ付され得る（上記に記載された文献の表１２参照）。対応するビデオ成分は、そのサービスに関するＰＭＴ（Program Map Table：番組マップテーブル）におけるストリーム識別子の記述子(stream_identifier_descriptor)でタグ付けされ得る（タグ値はＥＩＴにおいて対応するタグフィールドにマッチングする）。
【００１４】
適切なビデオサービスの自動的な選択は、ＥＩＴシグナリング、利用可能なタイプ（ＳＤ及び／又はＨＤ）ストリーム及びレシーバの復号化性能に基づいたレシーバによって処理されることができる。
【００１５】
マルチサービス構成オプション：
２つのシグナリングオプションが、この場合、ＨＤ専用であるサービスを識別するために規定される。
１．新たなサービスタイプ（このタイプは、ＳＤＴ（Service Description Table：サービス記述テーブル）におけるサービス記述子(service_descriptor)において運ばれ、オプションとしてＮＩＴ(Network Information Table：ネットワーク情報テーブル)におけるサービスリスト記述子(service_list_descriptor)において運ばれる）。
２．ＳＤＴにおいて運ばれるリンケージ記述子。この代替例は、「既存の」ＨＤレシーバに対してより一層の互換性を提供するが、ＳＤレシーバに対しては下位互換性をもつ。    
【００１６】
このマルチサービス構成オプションは、（ＳＤ及びＨＤ形式においてそれぞれ）本質的には同じコンテントをもつ（同じネットワークにおける）２つのサービスが、（可能性としては異なる多重送信方式において、ただし同一のネットワーク識別子(network_identifier)によって）利用可能であることを必要とする。双方のサービスの等価は、同じＬＣＮ（logical channel number：論理チャンネル番号）を用いることによってシグナリングされる（ＬＣＮは、双方のサービスのためにＮＩＴの論理チャンネル記述子(logical_channel_descriptor)において運ばれる）。レシーバが、これらのサービスの等価を認識するために、双方が同じネットワークによって運ばれること（すなわち、双方が同じネットワーク識別子により関連付けられること）が重要であるが、双方が同じ伝送ストリームにおいて運ばれることは重要ではないことに留意されたい。同じＬＣＮ、異なるサービス識別子及び異なるネットワーク識別子をもつサービスは、局所的な変形例であるとみなされる。
【００１７】
シグナリングオプション１：新たなサービスタイプ：
サービスのＳＤバージョンとＨＤバージョンとの間の差異は、ＳＤＴにおいて運ばれる「サービス記述子」における（及び利用可能であるならば、ＮＩＴにおいて運ばれるサービスリスト記述子における）「サービスタイプ」フィールドによって示される。サービスのＳＤバージョンについては、サービスタイプ０×０１（デジタルテレビジョン）が使用される。サービスのＨＤバージョンについては、サービスタイプ０×８１が使用され得る（ＤＶＢによって規定されるユーザは、「等価的なＳＤサービスを備えるデジタルＨＤビデオサービス」を意味する）。この規定により、ＳＤレシーバは、十分に下位互換性をもつやり方においてＨＤ専用サービスを無視することが可能になり、ＨＤレシーバは、容易に同じサービスのＳＤバージョンを無視することができる。ただし、この規定は、ＨＤレシーバが、新たなサービスタイプに気が付くことを必要とする。
【００１８】
シグナリングオプション２：新たなリンケージ記述子：
リンケージ記述子の新たなタイプ、すなわち「ＳＤサービス置換リンク」が、ＳＤＴにもたらされる。この使用されるタイプ識別子(type_id)は、０×９０である（規定されるＤＶＢユーザは「ＳＤ置換サービスリンク」を意味する）か、又は標準のＤＶＢコード（例えば０×１２）がそのために適用されることもできる。これは、等価的なＳＤサービスを指し示して、ＨＤサービスのためにＳＤＴにおいて運ばれるべきである。ＳＤ専用レシーバは、このリンクをもつサービスを無視し、代わりに上記リンクによって指し示されたＳＤ等価サービスを使用することができる。
【００１９】
以下の文章は、シグナリングオプション１及びシグナリングオプション２に当てはまる：ＨＤレシーバは、該サービスリストにおいてオプションとしてサービスの双方のバージョンを記憶し、ＨＤサービスの受信品質が不十分である場合にはＳＤサービスを選択することができる。ＳＤレシーバは、ＨＤ専用サービスを完全に無視しても差し支えない。
【００２０】
本発明の保護範囲は、これまで明示的に開示された実施形態に限定されるものではない。本発明は、特性の各々の新規な特性及び各組み合わせにおいて具現化される。いかなる引用符号も、請求項の範囲を制限しない。更に、動詞「有する(comprising)」は請求項に列記されたもの以外の他の構成要素又はステップの存在を除外しないものとする。構成要素に先行する単数表現の冠詞「a」又は「an」は、そうした構成要素の複数の存在を排除するものではない。
【図面の簡単な説明】
【００２１】
【図１】本発明による送信システム１０の実施形態を概略的に示す図である。
【図１】
2005514878.tif 000003
【国際調査報告】
2005514878.tif 000004
2005514878.tif 000005
2005514878.tif 000006